(57)【要約】無線通信システムにおいて音声データを送信するための方法および装置が提供される。特に、音声信号における無音期間を検出し、検出された無音期間の指示を出力するよう構成されたオーディオ処理モジュールと；前記オーディオ処理モジュールに結合され、前記音声信号をなすアップロード・パケットを、あらかじめ定義されたスケジューリング割り当てに従って送信するよう構成された通信モジュールとを有しており、前記通信モジュールは、検出された無音期間の指示を受け取ると、前記あらかじめ定義されたスケジューリング割り当てを使ってさらなるアップロード・パケットを送信することを、所定の時間期間にわたって控えるようさらに構成されている、装置が提供される。
2017531369.tif 000002
【特許請求の範囲】
【請求項１】
無線通信システムにおいて使うための装置であって、当該装置は：
音声信号における無音期間を検出し、検出された無音期間の指示を出力するよう構成されたオーディオ処理モジュールと；
前記オーディオ処理モジュールに結合され、前記音声信号をなすアップロード・パケットを、あらかじめ定義されたスケジューリング割り当てに従って送信するよう構成された通信モジュールとを有しており、
前記通信モジュールは、検出された無音期間の指示を受け取ると、前記あらかじめ定義されたスケジューリング割り当てを使ってさらなるアップロード・パケットを送信することを、所定の時間期間にわたって控えるようさらに構成されている、
装置。
【請求項２】
前記通信モジュールは、検出された無音期間の指示を受け取ると、前記あらかじめ定義されたスケジューリング割り当てでのさらなるパケットを送信することを、前記所定の時間期間の間は控えることの指示をeNBに送信するようさらに構成されている、請求項１記載の装置。
【請求項３】
前記指示を前記eNBに送信することは、無音期間を示すMAC制御要素を含むアップロード・パケットを送信することを含む、請求項１記載の装置。
【請求項４】
前記指示を前記eNBに送信することは、無音期間を示すMACヘッダ内の特定の情報を含むアップロード・パケットを送信することを含む、請求項１記載の装置。
【請求項５】
前記MAC制御要素は、当該ユーザー装置が前記あらかじめ定義されたスケジューリング割り当てを使ってさらなるアップロード・パケットを送信することを控える時間の長さを信号伝達する、請求項３記載の装置。
【請求項６】
前記あらかじめ定義された割り当てスケジュールは半持続的な割り当てスケジュールを含む、請求項１記載の装置。
【請求項７】
前記あらかじめ定義された割り当ては、接続DRXパターンを有する、請求項１記載の装置。
【請求項８】
前記無線通信システムがパケット指向の技術を使って実装され、UL送信はeNBの制御下にあり、所定のULスケジューリングが使用される、請求項１記載の装置。
【請求項９】
前記無線技術が：第三世代パートナーシップ・プロジェクト・ロングタームエボリューションLTE、高速上りリンク・パケット・アクセス／高速下りリンク・パケット・アクセスHSUPA/HSDPAまたはIEEE802.16、WiMAXのうちの一つである、請求項８記載の装置。
【請求項１０】
無線通信ネットワークにおいてVoLTEパケットを送信する方法であって、当該方法は：
オーディオ処理モジュールから検出された無音期間の指示を取得し；
検出された無音期間の前記指示を受領するのに応答して、あらかじめ定義されたスケジューリング割り当てを使って音声データ・アップロード・パケットを送信することを所定の時間期間にわたって控えることを含む、
方法。
【請求項１１】
音声信号における無音期間を検出し、検出された無音期間の前記指示を提供することをさらに含む、請求項１０記載の方法。
【請求項１２】
検出された無音期間の前記指示を受け取ることに応答して、前記あらかじめ定義されたスケジューリング割り当てでの音声データ・アップロード・パケットが送信されないという指示をeNBに送信することをさらに含む、請求項１０記載の方法。
【請求項１３】
前記指示を前記eNBに送信することは、無音期間を示すMAC制御要素を含むアップロード・パケットを送信することを含む、請求項１２記載の方法。
【請求項１４】
前記指示を前記eNBに送信することは、無音期間を示すMACヘッダ内の特定の情報を含むアップロード・パケットを送信することを含む、請求項１２記載の方法。
【請求項１５】
前記MAC制御要素は、当該ユーザー装置が前記あらかじめ定義されたスケジューリング割り当てを使ってさらなるアップロード・パケットを送信することを控える時間の長さを信号伝達する、請求項１３記載の方法。
【請求項１６】
前記あらかじめ定義された割り当てスケジュールは半持続的な割り当てスケジュールおよび接続DRXパターンのうちの一方を含む、請求項１０記載の方法。
【請求項１７】
無線通信システムにおいて使うための装置であって、当該装置は：
音声信号における無音期間を検出し、検出された無音期間の指示を出力するオーディオ処理手段と；
前記音声信号をなすアップロード・パケットを、あらかじめ定義されたスケジューリング割り当てに従って送信する通信手段とを有しており、
前記通信手段は、検出された無音期間の指示を受け取ると、前記あらかじめ定義されたスケジューリング割り当てを使ってさらなるアップロード・パケットを送信することを、所定の時間期間にわたって控えるようさらに構成されている、
装置。
【請求項１８】
プロセッサと非一時的メモリとを有するユーザー装置であって：
前記非一時的メモリは、前記プロセッサ上で実行されたときに当該ユーザー装置に請求項１０ないし１６のうちいずれか一項記載の方法を実行させるコンピュータ・プログラム命令を有する、
ユーザー装置。
【請求項１９】
請求項１ないし９のうちいずれか一項記載の装置を有し、画面、スピーカー、タッチスクリーン、キーボード、複数のアンテナを含むアンテナ・アレイ、グラフィック・プロセッサまたはアプリケーション・プロセッサのうちの一つまたは複数をさらに有する、ユーザー装置。
【請求項２０】
無線通信システムにおけるeノードBにおいて使う回路であって、当該回路は：
あらかじめ定義されたスケジューリング割り当てでユーザー装置によって送信されたULパケットを受信するよう構成された通信モジュールと；
前記ユーザー装置が所定の時間期間にわたって前記あらかじめ定義されたスケジューリング割り当てで送信をしないことを示す無音期間通知を検出するよう構成された、前記通信モジュールに結合された処理モジュールとを有する、
回路。
【請求項２１】
前記無音期間通知は：無音期間を示すMAC制御要素および無音期間を示すMACヘッダ内の特定の情報のうちの一方を含む、請求項２０記載の回路。
【請求項２２】
前記無音期間通知がさらに、前記ユーザー装置が前記あらかじめ定義されたスケジューリング割り当てを使ってさらなるアップロード・パケットを送信することを控える時間の長さの指示を含む、請求項２０記載の回路。
【請求項２３】
前記あらかじめ定義された割り当てスケジュールが半持続的な割り当てスケジュールおよび接続DRXパターンのうちの一方を含む、請求項２０記載の回路。
【請求項２４】
無線通信システムにおけるeノードBにおいて使うための方法であって：
所定の時間期間にわたってユーザー装置があらかじめ定義されたスケジューリング割り当てで送信をしないことを示す無音期間通知を検出し；
前記所定の期間については前記ユーザー装置について電波リンク障害を判別することを控えることを含む、
方法。
【請求項２５】
プロセッサに請求項１０ないし１６または２４のうちいずれか一項記載の方法を実行させるためのコンピュータ・プログラム。
【請求項２６】
請求項２５記載のプログラムを記憶した非一時的なコンピュータ可読記憶媒体。
【発明の詳細な説明】
【技術分野】
【０００１】
関連出願への相互参照
本願は2014年9月26日に出願された、「音声データ伝送のための方法および装置」と題する欧州特許出願第14306506.8号の優先権を主張するものである。同出願の開示全体はここに参照によってその全体において組み込まれる。
【０００２】
技術分野
本稿に記載される実施形態は概括的には無線通信の分野に関し、特に、これだけではないが、低減された電流消耗をもってLTEを通じた音声（VoLTE:  Voice  over  LTE）通話を実行するための方法および装置に関する。
【背景技術】
【０００３】
固定加入者とモバイル加入者にできるだけ効率的かつ安価に遠隔通信サービスを提供できることがますます重要になりつつある。LTEベースのネットワークは、音声通話を含むネットワークを通じたすべてのトラフィックのためにパケット・ベースの通信を提供する。
【発明の概要】
【発明が解決しようとする課題】
【０００４】
無線ネットワークにおいて動作するユーザー装置のバッテリー寿命に関心が寄せられている。よって、通話品質やユーザー経験に影響することなくVoLTE通話提供の電力要件を低減することが有利であろう。
【図面の簡単な説明】
【０００５】
本発明の側面、特徴および利点は、付属の図面を参照して本発明の以下の記述から明白となるであろう。図面において、同様の参照符号は同様の要素を表わす。
【図１】さまざまな実施形態に基づく、例示的な無線ネットワークのブロック図である。
【図２】VoLTE通話の間の無音期間の間に伝送される空のパケットを示す図である。
【図３】さまざまな実施形態に基づく、ユーザー装置とeNBとの間の通信を示すシーケンス図である。
【図４】パケット型を示すために使用できるMACサブヘッダを示す図である。
【図５】さまざまな実施形態に基づく、ユーザー装置における例示的な方法を示すブロック図である。
【図６】さまざまな実施形態に基づく、例示的なシステムを示すブロック図である。
【図７】本稿に開示される発明方法の一つまたは複数に基づく、無線ネットワークにおいて通信するよう構成された例示的な無線装置を示すブロック図である。
【発明を実施するための形態】
【０００６】
本開示の例示的実施形態は、無線通信ネットワークにおける基地局の間のハンドオーバーに関係する信号伝達を制御するための方法、システムおよび装置を含むが、それに限られない。
【０００７】
例示的実施形態のさまざまな側面は、業績の内容を他の当業者に伝達するために当業者が普通に用いる用語を使って記述される。しかしながら、当業者には、記載される側面の諸部分を使っていくつかの代替的な実施形態が実施されてもよいことは明白であろう。説明の目的で、例示的実施形態の十全な理解を提供するために、特定の数、材料および構成が記述されるが、当業者には、代替的な実施形態はこうした個別的詳細なしで実施されうることは明白であろう。一方、例示的実施形態を埋没させないために、よく知られた特徴は省略または単純化されている。
【０００８】
さらに、さまざまな動作が複数の離散的な動作として、例示的実施形態の理解に最も助けとなる仕方で記述されるが、記述の順序はそれらの動作が必ず順序依存であることを含意するものと解釈すべきではない。特に、それらの動作は呈示の順序で実行される必要はない。
【０００９】
「ある実施形態では」という句が繰り返し使われる。この句は一般には同じ実施形態を指すものではないが、そうであることもありうる。用語「含む」「有する」「備える」は、文脈がそうでないことを示すのでない限り、同義である。句「Ａ／Ｂ」は「ＡまたはＢ」を意味する。句「Ａおよび／またはＢ」は「（Ａ）、（Ｂ）または（ＡおよびＢ）」を意味する。句「Ａ、ＢおよびＣのうちの少なくとも一つ」は「（Ａ）、（Ｂ）、（Ｃ）、（ＡおよびＢ）、（ＡおよびＣ）、（ＢおよびＣ）または（Ａ、ＢおよびＣ）」を意味する。句「（Ａ）Ｂ」は「（Ｂ）または（ＡＢ）」、すなわちＡは任意的であることを意味する。
【００１０】
本稿では個別的な実施形態が示され、記述されるが、本開示の実施形態の範囲から外れることなく、多様な代替的および／または等価な実装が、示され記述されている個別的な実施形態の代わりに用いられてもよいことは、当業者には理解されるであろう。本願は本稿で論じられる実施形態の任意の適応または変形をカバーすることが意図されている。したがって、本開示の実施形態は請求項およびその等価物によってのみ限定されることがはっきりと意図されている。
【００１１】
本稿での用法では、用語「モジュール」は、特定用途向け集積回路（ASIC）、電子回路、プロセッサ（共有、専用またはグループ）および／またはメモリ（共有、専用またはグループ）であって一つまたは複数のソフトウェアまたはファームウェア命令を実行するもの、組み合わせ論理回路および／または所望される機能を提供する他の好適なコンポーネントを指してもよく、その一部であってもよく、あるいはそれを含んでいてもよい。
【００１２】
図１は、さまざまな実施形態に基づく無線通信ネットワーク１００を概略的に示している。無線通信ネットワーク１００（以下「ネットワーク１００」）は第三世代パートナーシップ・プロジェクト（3GPP）ロングタームエボリューション（LTE）またはロングタームエボリューション・アドバンスト（LTE-A）ネットワークのアクセス・ネットワーク、たとえば進化型万国移動通信システム（UTMS）地上波電波アクセス・ネットワーク（E-UTRAN）であってもよい。
【００１３】
ネットワーク１００は、一つまたは複数のモバイル装置または端末、たとえばユーザー装置（UE）１０８と無線で通信するよう構成された基地局、たとえば進化型ノード基地局（eNB）１０４を含んでいてもよい。さまざまな実施形態において、eNB  １０４は固定局（たとえば固定ノード）または移動局／ノードでありうる。
【００１４】
eNB  １０４は、一つまたは複数のアンテナ１３０を介してUE  １０８から信号を受信するための受信器モジュール１２０を含んでいてもよい。eNB  １０４は、受信器モジュール１２０および送信器モジュール１２４と通信し、信号によって通信される情報をエンコードおよびデコードするよう構成されているプロセッサ・モジュール１２８をも含んでいてもよい。
【００１５】
さまざまな実施形態において、UE  １０８および／またはeNB  １０４は、複数入力複数出力（MIMO）伝送システムを実装するために複数のアンテナ１５６、１３０を含んでいてもよい。該MIMO伝送システムは、単一ユーザーMIMO（SU-MIMO）、マルチユーザーMIMO（MU-MIMO）、閉ループMIMO、開ループMIMOまたはスマート・アンテナ処理の変形を含む多様なMIMOモードで動作しうる。
【００１６】
さまざまな実施形態において、UE  １０８は、eNB  １０４に信号を送信するための送信器モジュール１４８と、eNB  １０４から信号を受信するための受信器モジュール１４４とを有する。UE  １０８はさらに、受信器モジュール１４４と送信器モジュール１４８との間に結合されたプロセッサ・モジュール１５２を有する。プロセッサ・モジュール１５２は、信号によって通信される情報をエンコードおよびデコードする通信モジュール１５４を含む。プロセッサ・モジュール１５２は、音声信号（voice  signal）を送信のためにエンコードするオーディオ・プロセッサ・モジュール１５８をも含む。
【００１７】
本発明の実施形態はLTEネットワークを参照して記述されるが、いくつかの実施形態は他の型の無線アクセス・ネットワークとともに使われてもよい。
【００１８】
以下の発明実施形態は、無線システムの送信器および受信器を含む多様な応用において使用されうる。ただし、本発明はこの点で限定されるものではない。明示的に本発明の範囲内に含まれる無線システム（radio  system）は、ネットワーク・インターフェース・カード（NIC）、ネットワーク・アダプター、固定もしくは移動クライアント装置、リレー、基地局、フェムトセル、ゲートウェイ、ブリッジ、ハブ、ルーター、アクセス・ポイントまたは他のネットワーク装置を含むが、それに限られない。さらに、本発明の範囲内の無線システムは、セルラー無線電話システム、衛星システム、双方向無線システムならびにそのような無線システムを含むコンピューティング装置において実装されてもよい。該コンピューティング装置は、パーソナル・コンピュータ（PC）、タブレットおよび関係した周辺機器、携帯情報端末、パーソナル・コンピューティング・アクセサリー、ハンドヘルド通信装置および性質上関係しうる、発明実施形態の原理が好適に適用できるあらゆるシステムを含む。
【００１９】
LTE移動通信ネットワークを通じて音声通話を搬送するために、音声信号は、いくつかのデータ・パケット内でエンコードされる。かかるデータ・パケットは、低遅延での一定した音声通信の印象を与えるために、規則正しく送信されるべきである。パケット化された音声信号を搬送するために、データ・パケットを送信するための電波資源が、ネットワークによって前もってユーザー装置１０８に割り当てられてもよい。たとえば、半持続的なスケジューリングが使用されることができ、それによりユーザー装置１０８は繰り返しベースでのアップロード資源を承認される。
【００２０】
半持続的なスケジューリングを用いてVoLTE通話を実行する場合、UE  １０８はそれぞれの割り当てられた上りリンク（UL）承認で送信することを期待される（典型的には20ms毎に一回の承認）。会話における無音期間の間は、新たな音声データ・パケットは送信のために生成されない。よって、無音期間の間は承認されたアップロード資源内で搬送される新たな音声データはない。しかしながら、eNB  １０４は送信を期待しているので、UEはそれでも割り当てられた上りリンク・スロットにおいて送信しなければならず、よって「空の」データ・パケットが送信される。割り当てられたスロットにおいて信号を送信しないことは、eNB  １０４において行なわれる測定の精度に影響することがあり、eNB  １０４に、UE  １０８とeNB  １０４との間の電波リンクが劣化したまたは障害を起こしたと判定させることがありうる。
【００２１】
「空の」データ・パケットの送信はユーザー装置において電力資源を使い、よって装置のバッテリー寿命を短くする。しかしながら、eNB  １０４は期待されるスロットにおいて上りリンク電力がないことが音声不活動期間のためであってRF条件の劣化のためではないとは知ることができないので、UEとしては、ネットワークによって電波リンク障害が宣言されるのを避けるために、無音期間の間に送信を続けることが必要であった。
【００２２】
いくつかの実施形態によれば、UE  １０８は、eNB  １０４において行なわれる電波リンクの測定に影響することなく、VoLTE通話における無音期間の間の「空の」パケットの送信を減らすまたはなくすことができてもよい。
【００２３】
UE装置において、オーディオ活動および電波活動は完全に分離される。それらはUL方向において二つの異なるエンティティによって制御されるからである：
音声オーディオ検出（VAD）はUL音声活動を制御し、無音を検出するときは160ms周期をもってSIDパケットを送り、次いで新たな会話スパートが始まるまでUL音声パケットを送信中止（DTX:  Discontinue  Transmission）する。
UL  LTE送信は、送信されるデータについて何も知らず、典型的には半持続的なUL承認を与えるLTE基地局（eNB）によって制御される。UEは、あらかじめ定義されたLTEサブフレームにおいてデータを送信しなければならない。
【００２４】
典型的には、オーディオDTX期間（二つのUL会話スパートの間）中はLTEパディング・データが送信される。つまり、電流消耗が不必要に使われる。
【００２５】
図２は、オーディオ・プロセッサ１５８によって生成され、通信モジュール１５４に送信のために渡されるオーディオ・パケットを示している。オーディオ処理は典型的には、音声活動検出（Voice  Activity  Detection）機能を含む専用のオーディオ・プロセッサ１５８によって実行される。音声活動検出は、無音期間を検出すると、音声DTX期間の前にSID（silence  detected［無音検出］）パケット２０４を挿入する。SIDは160ms毎に繰り返され、RTP/UDP/IPパケット中でカプセル化されて通信モジュールに渡される。典型的には、任意のVoLTEパケットのRTP/UDP/IPヘッダに対してROHCヘッダ圧縮が行なわれ、次いでパケットは通常のPDCPパケットとして処理される。
【００２６】
次いでSIDデータはUL  SPSサブフレームにおいて送信される。VoLTEパケットのサイズはきわめて小さい（RTP/UDP/IPヘッダを3バイト未満に圧縮するROHCを用いると、サイズは60バイト未満になる）ので、典型的には単一サブフレームにおいて送信される。通信モジュールはVoLTEパケットの性質を知らないので、SIDパケットについて特定の処理を適用する手段はない。SIDパケットが空中を送信された後、オーディオ・プロセッサ１５８は、かなりの期間２０６にわたってオーディオVoLTEパケットの送信を中止する。
【００２７】
しかしながら、eNB  １０４はこれを知らない。というのも、eNBはSIDパケット２０４を識別する手段をもたないからである。半持続的スケジュール（SPS:  Semi-persistent  schedule）ULパターンはいまだアクティブであり、送信される必要のあるVoLTEデータはないのに、UE  １０８は新たな上りリンク・パケット２０８をSPSサブフレームにおいて（物理的な物理アップロード共有チャネルPUSCHを通じて）送信しなければならない。これらの新たなPUSCHパケット２０８はパディングからなる。RF送信電力は通例、VoLTE電力消費の大きな部分なので、これらの送信は有意な電力の無駄である。
【００２８】
本開示の簡単のため、SPS  ULが有効にされ、UL  VoLTEデータのための専用物理チャネルとしてはたらいていると想定される。だが、当業者は記載される発明概念をより一般的なチャネル構成、たとえばUL送信パターンがおおまかに事前定義されているLTEの接続DRX（Connected  DRX）にどのように拡張するかを理解するであろう。
【００２９】
いくつかの実施形態によれば、音声オーディオ・プロセッサ１５８は、いつ無音期間２０６が始まったか／進行中であるかを示すためにUL  SIDパケットにタグ付けする。SIDパケットの最終ビットが送信されているとき、UE  １０８は、次の160msにわたってBSR＝0である（送信がペンディングになっているRRC信号伝達メッセージがない）間は、いかなる新たなパケットも物理アップロード共有チャネル（PUSCH）上で送信せず、UE  １０８における通信モジュール１５４は、図４に示されるようにMACヘッダにおける専用ビットをセットする（またはeNBにこのイベントを信号伝達すること専用にされるMAC制御要素を挿入する）。それにより、eNBは、次の160msにおいて新たなUL送信を受信しないことがありうることを知る。
【００３０】
実施形態は、単一の電波ベアラーがアクティブである（RRC状態から）場合に適用可能でありうる。実施形態はさらに、複数のベアラーと一緒に使うために適用可能であってもよいが、信号伝達の複雑さは増す。
【００３１】
オーディオ・プロセッサ１５８は、UL  SID  ２０４を構築するとき、タグ＝SID_onをこのRTP/UDP/IPパケットに取り付ける。このUL  SIDパケット２０４は次いで、IPC（Inter-Processor  Communicator［プロセッサ間通信器］）を使って通信モジュール１５４に送られる。タグはこのパケットについてのIPCヘッダに書き込まれるまたは別の手段によって前記モジュールへの通信に提供される。受領されると、通信モジュール１５４はこのSIDパケットを取り、PDCP層のためにタグをローカルに再生成する。
【００３２】
MACはULパケット送信のためのUL承認（動的または半持続的）を受け取る。典型的には、UL承認は、SIDデータを担持するRLC  SDUのために十分に大きいべきである（VoLTEベアラーのみがあり、VoLTEベアラーはRLC再送信をもたないので）。MACは、SID  RLC  PDUが空中を送信される時間をt1としてタイムスタンプ付けする。次いで、MACは、新たなPUSCH送信のためのいかなるUL承認をも、あるいはVoLTEベアラーのためのいかなるSPS  ULサブフレームをも、
期間＝160ms−t1
と定義される期間にわたって、あるいはN個の連続するUL  SPSサブフレーム、ただし
N＝Int((160ms−t1)/SPS_period)
にわたって、無視する。
【００３３】
MACは、それでも、SIDデータを担持するトランスポート・ブロックを、該トランスポート・ブロックについてHARQ  NACKを受信する場合には、再送信する必要があることがあることに注意しておくべきである。並行して、MACはeNB  １０４に対して、eNB  １０４は次の160ms−t1にわたっていかなる新たな音声データも受信しないことがありうることを示す。この通知は、図４に示されるようなSID_Onを示すためのMACサブヘッダのリザーブされているR個のビットのうちの一つを使って、あるいは新たな専用のMAC制御要素SID_CEを送る（長さ160ms−t1がこのMAC制御要素において信号伝達される）ことによって、提供されることができる。複数の専用ベアラーの場合、音声専用ベアラーのIDはMAC制御要素においても示されることができる。よって、eNBは、UEが無音期間にわたって音声ベアラー上でいかなる新たな音声データも送信しないことがありうることを通知される。
【００３４】
eNB  １０４に向けた信号伝達の意図は、eNBのULスケジューラーが、UL動的または半持続的承認に応答してのUL送信の不在を誤解しないことを確かにするためである。
【００３５】
RLC  SDUが二つのRLC  PDUに分割される場合、SIDのRLC  SDUの最後のセグメントが送信されるときにt1タイムスタンプが計算され、SIDについてのRLC  SDUの最後の部分を担持するトランスポート・ブロック中にSID_OnまたはSID_CEが挿入されることを除いて、MAC挙動は同一である。
【００３６】
いくつかの実施形態によれば、MAC信号伝達情報は必須ではない。たとえば、UEは次の160msにわたって新たなPUSCHのためのUL承認に従うことができず、それでも通常のMACヘッダを使うことができる。
【００３７】
この期間中はユーザーは傾聴しているはずなので、UE  １０８はDL  VoLTEデータを受信しており、よってHARQ  ACK/NACK受け取り確認指示を物理アップロード制御チャネル（PUCCH）を通じて送信しているであろう。すると、eNB  １０４は、いまだPUCCHを通じた受け取り確認を受信している一方での160msの間の新たなPUSCHデータの不在を、UEにおける無音期間として正しく解釈することができる。
【００３８】
図３は、いくつかの実施形態に基づく方法３００を示すシーケンス図である。図３に示されるように、進行中のVoLTE通話の間、音声データがオーディオ・プロセッサ１５８において処理されて、通信プロセッサ１５４に渡される音声データ・パケット３０２が生成される。次いで、通信プロセッサは音声ペイロード・データを、パケット３１２として半持続的にスケジュールされたアップロード資源を使って、eNB  １０４に送信する。
【００３９】
オーディオ・プロセッサ１５８が無音期間３０４を検出するとき、そのパケットがSIDパケットであるという指示とともにSIDを含むペイロードをもつパケット３０６が通信モジュール１５４に渡される。通信モジュール１５４は、該指示から、該パケットがSIDパケットであることを判別し、通信モジュール１５４におけるパケット３０６の到着時刻t0をタイムスタンプ付けする。次いでSIDペイロードはeNB  １０４に送信される。これは、その送信後ある時間期間にわたってUEはSPS  UL資源を使わないという指示を伴う。送信が行なわれない時間期間は160msから、オーディオ・プロセッサ１５８からのパケット３０６の受領と通信プロセッサ１５４によるeNB  １０４へのパケット３０８の送信との間の時間を引いたものである。
【００４０】
決定された期間が満了した後、無音期間が続いていれば、オーディオ・プロセッサは、そのパケットがSIDパケットであるという指示をもつさらなるSIDパケットを通信モジュール１５４に提供する。該さらなるSIDパケットは上記のようにeNB  １０４に送信される。
【００４１】
オーディオ・プロセッサ１５８が無音期間３１０の終わりを検出すると、オーディオ・プロセッサは通常の音声ペイロード・パケット３０２を、さらにeNB  １０４に送信するために通信モジュール１５４に提供することを再開する。
【００４２】
図５は、いくつかの実施形態に基づく、UE  １０８において実行される方法５００を示している。方法５００によれば、VoLTE通話の間、音声信号が送信のためにパケットにエンコードされる（５０２）。無音期間が検出されるかどうかについて判定がなされ（５０４）、検出されなければ音声信号のパケットへのエンコード５０２が続けられる。無音期間が検出される場合は、SIDパケットが用意される（５０６）。これは、そのパケットがSIDパケットであるというインジケータをもち、eNB  １０４への送信５０８のために通信モジュール１５４に渡される。その後、通信モジュールはさらなるパケットをeNB  １０４に送信することを、SIDパケットの送信後のある時間期間にわたって控える（５１０）。該時間期間の終了時に、無音期間が続いているかどうかについて判定がなされる（５１２）。続いていなければ、動作は音声信号のパケットへのエンコード５０２に戻るが、無音期間が続いている場合には、インジケータをもつさらなるSIDパケットが用意され（５０６）、方法は上記のように続けられる。
【００４３】
本稿に記載されるeNB  １０４およびUE  １０８は、所望に応じて構成するいかなる好適なハードウェアおよび／またはソフトウェアを使ってシステムに実装されてもよい。図６は、ある実施形態について、一つまたは複数のプロセッサ６４０、前記プロセッサの少なくとも一つに結合されたシステム制御論理６２０、システム制御論理６２０と結合されたシステム・メモリ６１０、システム制御論理６２０と結合された不揮発性メモリ（NVM）／記憶６３０およびシステム制御論理６２０と結合されたネットワーク・インターフェース６６０を有する例示的なシステム６００を示している。システム制御論理６２０は入出力装置６５０にも結合されていてもよい。
【００４４】
プロセッサ６４０は一つまたは複数の単一コアまたはマルチコア・プロセッサを含んでいてもよい。プロセッサ６４０は、汎用プロセッサおよび専用プロセッサ（たとえばグラフィック・プロセッサ、アプリケーション・プロセッサ、ベースバンド・プロセッサなど）のいかなる組み合わせを含んでいてもよい。プロセッサ６４０は、好適な命令またはプログラムを使って、上記の方法を実行する（すなわち、プロセッサまたは他の論理、命令の使用を介して動作する）よう動作可能であってもよい。命令は、システム・メモリ６１０、オーディオ・プロセッサ・メモリ部分６１５に記憶されていてもよく、あるいは追加的または代替的にオーディオ・プロセッサ部分６３５として（NVM）／記憶６３０に記憶されてもよい。
【００４５】
プロセッサ６４０は、さまざまな実施形態に基づき、図３〜図５の実施形態を実行するよう構成されていてもよい。システム６００がeNB  １０４を実装するある実施形態では、該eNBが、指示された時間期間にわたってUEによってSPS  UL割り当てが使用されないことを理解するよう、プロセッサ６４０はUEから無音期間の指示を受領するよう構成されていてもよい。
【００４６】
ある実施形態についてのシステム制御論理６２０は、プロセッサ６４０のうちの少なくとも一つへのおよび／またはシステム制御論理６２０と通信する任意の好適な装置もしくはコンポーネントへの任意の好適なインターフェースを提供するために、いかなる好適なインターフェース・コントローラを含んでいてもよい。
【００４７】
ある実施形態についてのシステム制御論理６２０は、システム・メモリ６１０へのインターフェースを提供するために、一つまたは複数のメモリ・コントローラ（図示せず）を含んでいてもよい。システム・メモリ６１０は、たとえばシステム６００のためのデータおよび／または命令をロードし、記憶するために使われてもよい。ある実施形態についてのシステム・メモリ６１０は、たとえば好適な動的ランダム・アクセス・メモリ（DRAM）といった、いかなる好適な揮発性メモリを含んでいてもよい。
【００４８】
NVM／記憶６３０は、たとえばデータおよび／または命令を記憶するために使われる、一つまたは複数の有体の、非一時的なコンピュータ可読媒体を含んでいてもよい。NVM／記憶６３０は、たとえばフラッシュメモリのようないかなる好適な不揮発性メモリを含んでいてもよく、および／または、たとえば一つまたは複数のハードドライブ（HDD）、一つまたは複数のコンパクトディスク（CD）ドライブおよび／または一つまたは複数のデジタル多用途ディスク（DVD）ドライブといったいかなる好適な不揮発性記憶デバイスを含んでいてもよい。
【００４９】
NVM／記憶６３０は、物理的に、システム６００がインストールされる装置の一部である記憶資源を含んでいてもよく、あるいは該装置によってアクセス可能だが必ずしもその一部ではないのでもよい。たとえば、NVM／記憶６３０はネットワーク・インターフェース６６０を介してネットワークを通じてアクセスされてもよい。
【００５０】
システム・メモリ６１０およびNVM／記憶６３０は、特に、たとえばオーディオ・プロセッサ命令部分６１５および６３５のそれぞれ一時的および持続的なコピーを含んでいてもよい。命令部分６１５および６３５は、プロセッサ６４０の少なくとも一つによって実行されたときに、システム６００が方法３００または５００または本稿に記載される他の任意の実施形態の方法（単数または複数）を実行する結果となる命令を含んでいてもよい。いくつかの実施形態では、命令部分６１５および６３５またはそのハードウェア、ファームウェアおよび／またはソフトウェア・コンポーネントは追加的または代替的に、システム制御論理６２０、ネットワーク・インターフェース６６０および／またはプロセッサ６４０内に位置していてもよい。
【００５１】
ネットワーク・インターフェース６６０は、システム６００が一つまたは複数のネットワーク（たとえば無線通信ネットワーク）を通じておよび／または他の任意の好適な装置と通信するための電波インターフェースを提供するトランシーバ・モジュール６６５を有していてもよい。さまざまな実施形態において、トランシーバー６６５はシステム６００の他のコンポーネントと統合されてもよい。たとえば、トランシーバー６６５は、プロセッサ６４０のうちのあるプロセッサ、システム・メモリ６１０のうちのメモリおよびNVM／記憶６３０のNVM／記憶を含んでいてもよい。ネットワーク・インターフェース６６０はいかなる好適なハードウェアおよび／またはファームウェアを含んでいてもよい。ネットワーク・インターフェース６６０は、複数入力複数出力電波インターフェースを提供するために、動作上、複数のアンテナに結合されてもよい。ある実施形態についてのネットワーク・インターフェース６６０はたとえば、ネットワーク・アダプター、無線ネットワーク・アダプター、電話モデムおよび／または無線モデムを含んでいてもよい。
【００５２】
ある実施形態について、プロセッサ６４０のうちの少なくとも一つは、システム制御論理６２０の一つまたは複数のコントローラのための論理と一緒にパッケージングされていてもよい。ある実施形態について、プロセッサ６４０のうちの少なくとも一つは、システム制御論理６２０の一つまたは複数のコントローラのための論理と同じダイ上に統合されていてもよい。ある実施形態について、プロセッサ６４０のうちの少なくとも一つは、システム制御論理６２０の一つまたは複数のコントローラのための論理と同じダイ上に集積されてシステムオンチップ（SoC）を形成していてもよい。
【００５３】
さまざまな実施形態において、I/O装置６５０は、システム６００とのユーザー対話を可能にするよう設計されたユーザー・インターフェース、システム５００との周辺コンポーネント対話を可能にするよう設計された周辺コンポーネント・インターフェースおよび／またはシステム６００に関係した環境条件および／または位置情報を決定するよう設計されたセンサーを含んでいてもよい。
【００５４】
図７は、システム６００がモバイル装置７００の特定の形でUE  １０８を実装する実施形態を示している。
【００５５】
さまざまな実施形態において、ユーザー・インターフェースは、ディスプレイ７４０（たとえば液晶ディスプレイ、タッチスクリーン・ディスプレイなど）、スピーカー７３０、マイクロフォン７９０、一つまたは複数のカメラ７８０（たとえばスチール・カメラおよび／またはビデオ・カメラ）、フラッシュライト（たとえば発光ダイオード・フラッシュ）およびキーボード７７０を含むことができるが、それに限定されない。
【００５６】
さまざまな実施形態において、周辺コンポーネント・インターフェースは、不揮発性メモリ・ポート、オーディオ・ジャックおよび電源インターフェースを含みうるが、それに限定されない。
【００５７】
さまざまな実施形態において、センサーは、ジャイロ・センサー、加速度計、近接センサー、環境光センサーおよび測位ユニットを含みうるが、それに限定されない。測位ユニットは、測位ネットワークのコンポーネント、たとえば全地球測位システム（GPS）衛星と通信するために、ネットワーク・インターフェース６６０の一部であってもよく、あるいはネットワーク・インターフェース６６０と対話してもよい。
【００５８】
さまざまな実施形態において、システム６００はモバイル・コンピューティング装置であってもよい。モバイル・コンピューティング装置はラップトップ・コンピューティング装置、タブレット・コンピューティング装置、ネットブック、携帯電話などであってもよいが、それに限定されない。さまざまな実施形態において、システム７００は一つまたは複数のコンポーネントおよび／または異なるアーキテクチャーを有していてもよい。
【００５９】
諸実施形態において、実装される無線ネットワークは第三世代パートナーシップ・プロジェクトのロングタームエボリューション（LTE）アドバンスト無線通信規格であってもよい。これは、3GPPのLTE-A規格のリリース８、９、１０、１１および１２以上を含みうるが、それに限定されない。
【００６０】
本稿では説明のためにある種の実施形態が示され、記述されているが、本開示の範囲から外れることなく、同じ目的を達成するよう計算された幅広い多様な代替的および／または等価な実施形態または実装が、示され記述されている実施形態の代わりに用いられてもよい。本願は本稿で論じられる実施形態の任意の適応または変形をカバーすることが意図されている。したがって、本稿に記載される実施形態は請求項およびその等価物によってのみ限定されることがはっきりと意図されている。
【００６１】
さまざまな実施形態によれば、無線通信システムにおいて使うための装置であって、当該装置は：音声信号における無音期間を検出し、検出された無音期間の指示を出力するよう構成されたオーディオ処理モジュールと；  前記オーディオ処理モジュールに結合され、前記音声信号をなすアップロード・パケットを、あらかじめ定義されたスケジューリング割り当てに従って送信するよう構成された通信モジュールとを有しており、  前記通信モジュールは、検出された無音期間の指示を受け取ると、前記あらかじめ定義されたスケジューリング割り当てを使ってさらなるアップロード・パケットを送信することを、所定の時間期間にわたって控えるようさらに構成されている、装置が提供される。
【００６２】
さまざまな実施形態によれば、前記通信モジュールは、検出された無音期間の指示を受け取ると、前記あらかじめ定義されたスケジューリング割り当てでのさらなるパケットを送信することを、前記所定の時間期間の間は控えることの指示をeNBに送信するようさらに構成されている。
【００６３】
さまざまな実施形態によれば、前記指示を前記eNBに送信することは、無音期間を示すMAC制御要素を含むアップロード・パケットを送信することを含む。
【００６４】
さまざまな実施形態によれば、前記指示を前記eNBに送信することは、無音期間を示すMACヘッダ内の特定の情報を含むアップロード・パケットを送信することを含む。
【００６５】
さまざまな実施形態によれば、前記MAC制御要素は、当該ユーザー装置が前記あらかじめ定義されたスケジューリング割り当てを使ってさらなるアップロード・パケットを送信することを控える時間の長さを信号伝達する。
【００６６】
さまざまな実施形態によれば、前記あらかじめ定義された割り当てスケジュールは半持続的な割り当てスケジュールを含む。
【００６７】
さまざまな実施形態によれば、前記あらかじめ定義された割り当ては、接続DRXパターンを有する。
【００６８】
さまざまな実施形態によれば、前記無線通信システムがパケット指向の技術を使って実装され、UL送信はeNBの制御下にあり、所定のULスケジューリングが使用される。
【００６９】
さまざまな実施形態によれば、前記無線技術が：第三世代パートナーシップ・プロジェクト・ロングタームエボリューションLTE、高速上りリンク・パケット・アクセス／高速下りリンク・パケット・アクセスHSUPA/HSDPAまたはIEEE802.16、WiMAXのうちの一つである。
【００７０】
さまざまな実施形態によれば、無線通信ネットワークにおいてVoLTEパケットを送信する方法であって、当該方法は：オーディオ処理モジュールから、検出された無音期間の指示を取得し；  検出された無音期間の前記指示を受領するのに応答して、あらかじめ定義されたスケジューリング割り当てを使って音声データ・アップロード・パケットを送信することを所定の時間期間にわたって控えることを含む、方法が提供される。
【００７１】
さまざまな実施形態によれば、前記方法は、音声信号における無音期間を検出し、検出された無音期間の前記指示を提供することをさらに含む。
【００７２】
さまざまな実施形態によれば、前記方法は、検出された無音期間の前記指示を受け取ることに応答して、前記あらかじめ定義されたスケジューリング割り当てにおいて音声データ・アップロード・パケットが送信されないという指示をeNBに送信することをさらに含む。
【００７３】
さまざまな実施形態によれば、前記指示を前記eNBに送信することは、無音期間を示すMAC制御要素を含むアップロード・パケットを送信することを含む。
【００７４】
さまざまな実施形態によれば、前記指示を前記eNBに送信することは、無音期間を示すMACヘッダ内の特定の情報を含むアップロード・パケットを送信することを含む。
【００７５】
さまざまな実施形態によれば、前記MAC制御要素は、ユーザー装置が前記あらかじめ定義されたスケジューリング割り当てを使ってさらなるアップロード・パケットを送信することを控えるかもしれない時間の長さを信号伝達する。
【００７６】
さまざまな実施形態によれば、前記あらかじめ定義された割り当てスケジュールは半持続的な割り当てスケジュールおよび接続DRXパターンのうちの一方を含む。
【００７７】
さまざまな実施形態によれば、無線通信システムにおいて使うための装置であって、当該装置は：音声信号における無音期間を検出し、検出された無音期間の指示を出力するオーディオ処理手段と；  前記音声信号をなすアップロード・パケットを、あらかじめ定義されたスケジューリング割り当てに従って送信する通信手段とを有しており、  前記通信手段は、検出された無音期間の指示を受け取ると、前記あらかじめ定義されたスケジューリング割り当てを使ってさらなるアップロード・パケットを送信することを、所定の時間期間にわたって控えるようさらに構成されている、装置が提供される。
【００７８】
さまざまな実施形態によれば、プロセッサと非一時的メモリとを有するユーザー装置であって：前記非一時的メモリは、前記プロセッサ上で実行されたときに当該ユーザー装置に上記の方法を実行させるコンピュータ・プログラム命令を有する、ユーザー装置が提供される。
【００７９】
さまざまな実施形態によれば、上記のような装置を有し、画面、スピーカー、タッチスクリーン、キーボード、複数のアンテナを含むアンテナ・アレイ、グラフィック・プロセッサまたはアプリケーション・プロセッサのうちの一つまたは複数をさらに有する、ユーザー装置が提供される。
【００８０】
さまざまな実施形態によれば、無線通信システムにおけるeノードBにおいて使う回路であって、当該回路は：あらかじめ定義されたスケジューリング割り当てでユーザー装置によって送信されたULパケットを受信するよう構成された通信モジュールと；  前記ユーザー装置が所定の時間期間にわたって前記あらかじめ定義されたスケジューリング割り当てで送信をしないことを示す無音期間通知を検出するよう構成された、前記通信モジュールに結合された処理モジュールとを有する、回路が提供される。
【００８１】
さまざまな実施形態によれば、前記無音期間通知は：無音期間を示すMAC制御要素および無音期間を示すMACヘッダ内の特定の情報のうちの一方を含む。
【００８２】
さまざまな実施形態によれば、前記無音期間通知がさらに、前記ユーザー装置が前記あらかじめ定義されたスケジューリング割り当てを使ってさらなるアップロード・パケットを送信することを控える時間の長さの指示を含む。
【００８３】
さまざまな実施形態によれば、前記あらかじめ定義された割り当てスケジュールが半持続的な割り当てスケジュールおよび接続DRXパターンのうちの一方を含む。
【００８４】
さまざまな実施形態によれば、無線通信システムにおけるeノードBにおいて使うための方法であって：所定の時間期間にわたってユーザー装置があらかじめ定義されたスケジューリング割り当てで送信をしないことを示す無音期間通知を検出し；  前記所定の期間については前記ユーザー装置について電波リンク障害を判別することを控えることを含む、方法が提供される。
【００８５】
さまざまな実施形態によれば、プロセッサ上で実行されたときに上記の方法を実行させるコンピュータ・プログラム命令を含む非一時的なコンピュータ可読媒体が提供される。
【図１】
2017531369.tif 000003
【図２】
2017531369.tif 000004
【図３】
2017531369.tif 000005
【図４】
2017531369.tif 000006
【図５】
2017531369.tif 000007
【図６】
2017531369.tif 000008
【図７】
2017531369.tif 000009
【国際調査報告】
2017531369.tif 000010
2017531369.tif 000011